(57)【特許請求の範囲】
【請求項１】
三灯式の信号機において、前記信号機の一灯を、他の二灯の発光時には、他の二灯の発光色と同色で、それぞれ対応する文字又は図形を連動して発光し、自らの発光時には、対応する文字又は図形を発光するようドットマトリクス状に配置した多色発光ダイオードおよび前記文字又は図形を変化させる調光部を具備した表示灯にすることにより、前記信号機の識別を向上させたことを特徴とするバリアフリー型信号機。
【請求項２】
三灯式の信号機において、前記信号機の一灯を、他の二灯のうちの一灯の発光時には、前記他の二灯のうちの一灯の発光色と同色で対応する文字又は図形を連動して発光するようドットマトリクス状に配置した多色発光ダイオードおよび前記文字又は図形を変化させる調光部を具備した表示灯にすることにより、前記信号機の識別を向上させたことを特徴とするバリアフリー型信号機。
【発明の詳細な説明】
【技術分野】
【０００１】  本発明は、色盲者（以下、「色盲の用語」は非特許文献１による）が道路の交差点において信号の識別が向上して安全に通行できるようバリアフリーとした信号機に関するものである。
【背景技術】
【０００２】  これまでの色盲者は、信号機の識別手段として発光している灯の位置により判断していたため、色盲者に対応した信号機として三灯式では特許文献１、特許文献２があった。【特許文献１】特開平１１−１１０６９２号公報
【特許文献２】特開平１０−３５９６号公報
【特許文献３】実登３０４６８９７号公報
【特許文献４】特開２００２−２９８６２９号公報
【非特許文献１】秀潤社刊「細胞工学ＶＯＬ．２１  ＮＯ，７〜９  ２００２」
【非特許文献２】ＩＳＯ  ３８６４「安全色と安全記号」
【非特許文献３】http://www3.ocn.ne.jp/~kumitate/  「電子工作組立倶楽部」
【発明の開示】
【発明が解決しようとする課題】
【０００３】  特許文献１は青、黄、赤色の三色を２種の発光色をもつ発光ダイオード（以下「LＥＤ」という）を１組とする混合方式を採用しているが、非特許文献１では明度の近いものの組み合わせは色盲者にとって色と図形の識別に難易性があった。【０００４】  特許文献２および特許文献３は前記の三色を〇、△、×のような図形の発光を採用しているが、赤色の×印は既に路面電車に利用されているものであり、また、前記の図形だけの発光は発光面積が減少して夜間の街路では周囲の照明灯により、信号の識別が困難となるものであった。
【課題を解決するための手段】
【０００５】  以上のような課題を解決する手段として次のような手段を用いる。【０００６】  請求項１は三灯式の信号機において、青色と黄色の識別が困難な第３色盲者（色盲者全体の０．０２％）を対象としたもので、例えば、前記の中央に多色発光するＬＥＤがドットマトリクス状に配置された表示灯および前記表示灯に具備した調光部により、青色の場合は青色灯の発光と連動して前記表示灯を青色用の図形で発光させ、黄色の場合は前記表示灯のみを黄色用の図形で発光させ、また、赤色の場合は赤色灯の発光と連動して前記表示灯を赤色用の図形で発光させるものである。【０００７】  請求項２は三灯式の信号機において、青色と黄色が識別できて赤色が暗く見える第１色盲者（色盲者全体の２５％）および第２色盲者（色盲者全体の７５％）を対象としたもので、例えば、前記の青色に多色発光するＬＥＤがドットマトリクス状に配置された表示灯および前記表示灯に具備した調光部により、青色の場合は前記表示灯全体を青色で発光させ、また、赤色の場合は赤色灯の発光と連動して前記表示灯を赤色用の図形で発光させるものである。
【発明の効果】
【０００８】  本発明は、以上説明したような構成をしているので以下に記載されるような効果がある。【０００９】  請求項１では三灯式の信号機の中央表示灯により、信号機の発光色が青、赤色の場合は前記表示灯を間に左右異なった二灯の発光、また、黄色の場合は前記表示灯のみ発光という三種を生じさせることにより、三灯の発光位置と前記表示灯の図形の変化で太陽光線の反射による疑似点灯も防げて、前記の第３色盲者に対しても信号の識別が向上するものとなる。【００１０】  また、前記手段は既設のものでも中央の表示灯のみを交換することにより容易にバリアフリー化ができるものとなる。【００１１】  請求項２では三灯式の信号機で赤色を全体および図形の二灯を発光させることにより殆どの色盲者に対して暗く見える赤色が強調され、青色灯のみを青色と赤色の二色発光するＬＥＤに変えることにより容易にバリアフリー化ができるものとなる。
【発明を実施するための最良の形態】
【００１２】  先ず、本発明の実施例を図面に基づき説明する。
【実施例１】
【００１３】  請求項１の実施例を説明する。図１は、分割型信号機１０のＬＥＤをドットマトリクス状に配置した中央表示灯２１の図形発光を示すもので、（ａ）は青色灯２０と連動して中央表示灯２１の青色ＬＥＤ３１が丸印の発光している状態を示し、（ｂ）は中央表示灯２１の黄色ＬＥＤ３２が丸に三角を抜いた形の発光している状態を示し、（ｃ）は赤色灯２２と連動して中央表示灯２１の赤色ＬＥＤ３３が丸印に左からの斜線の発光している状態を示すものである。なお、前記三色の発光素子の物質については特許文献４をはじめ既に公知となっているため省略する。【００１４】  そして、アーム４１に付設される表示板１２には白地に青色で丸、丸に三角抜きおよび丸斜線の三種の図形を記入することにより、色盲者および健常者にも三灯式の信号機に機能が追加されていることを判別出来るようにしているものである。【００１５】  図２は、積雪地に多く設置されている縦型信号機１１で赤色灯２２と中央表示灯２１にある赤色ＬＥＤ３３の図形の発光状態を示すものである。【００１６】  図３は、図１の青色灯２０および赤色灯２２を作動させる制御部５１と、中央表示灯２１に具備する調光部３４および青色ＬＥＤ３１、黄色ＬＥＤ３２、赤色ＬＥＤ３３を一組とした３イン１チップＬＥＤ３０を持つ中央表示灯２１の連動を示すものである。
【実施例２】
【００１７】  請求項２の実施例を説明する。図４は、分割型信号機１０のＬＥＤをドットマトリクス状に配置した左端灯２３の図形発光を示すもので、（ａ）は前記左端灯２３の青色ＬＥＤ３１が全発光の状態を示し、（ｂ）は赤色灯２２と連動して前記左端灯２３が赤色ＬＥＤ３３の丸印に左からの斜線の発光している状態を示すものである。【００１８】  そして、アーム４１に付設される表示板１２には白地に青色で赤二灯式と記入することにより、三灯式の信号機に機能が追加されていることを判別出来るようにしているものである。【００１９】  図５は、図４の黄色灯６１と赤色灯２２を作動させる制御部５１と、前記左端灯２３に具備する調光部３４および青色ＬＥＤ３１、赤色ＬＥＤ３３を一組とした２イン１チップＬＥＤ３５が赤色灯２２との連動を示すものである。【００２０】  図６は、実施例１における３イン１チップＬＥＤ３０の拡大と調光部３４にある回路の一例を示すもので、３イン１チップＬＥＤ３０は青色ＬＥＤ３１、黄色ＬＥＤ３２、赤色ＬＥＤ３３が一本のアノードＡと三本のカソードＣ１、Ｃ２、Ｃ３のフレームで一組とされ、調光部３４は殆どの信号機が交流電源のためＬＥＤ作動用に変圧回路と整流回路を持ち、発光回路は前記ＬＥＤの図形等の発光を変化させ、輝度回路は信号機の三灯と前記ＬＥＤとの輝度バランスを調整するものであり、実施例２の２イン１チップＬＥＤ３５は前記の黄色ＬＥＤ３２を省くものであって、調光部３４内部の回路の構成については非特許文献３をはじめ既に公知となっているため省略する。【００２１】  図７は、従来の信号機の設置状況を示すもので三灯式の一体型信号機４０と、これを保持するアーム４１および制御部５１を具備する信号制御盤５０からなるものである。
【産業上の利用可能性】
【００２２】  非特許文献１によれば、色盲者への対策として矯正メガネも数種類存在しているが色覚矯正の問題解決には依然として困難なものとなっている。そして、日本人男性の色盲者の比率は約５％（女性は０．２％）および高齢者の６５歳以上では白内障者が約５％いるといわれている中、従来の信号機の追随で省エネルギーのみの只３色を発光するものでは色盲者に識別向上の効果は少なく、電球式では不可であった機能をＬＥＤでは可能な図形発光を採り入れることにより、今後高齢化社会を迎えて更に多くなるであろう白内障者にも対応できるものであり、最近施工が増えているバリアフリー型住宅と併せて屋外での交差点のバリアフリー型信号機として利用されるものである。
【図面の簡単な説明】
【００２３】
【図１】請求項１の実施例で、（ａ）は青色灯と中央表示灯、（ｂ）は中央表示灯のみの一灯、（ｃ）は赤色灯と中央表示灯との図形発光を示す図である。
【図２】図１（ｃ）が縦型信号機の場合を示す図である。
【図３】請求項１の図形を連動して発光させるブロック図である。
【図４】請求項２の実施例で、（ａ）は左端灯のみの一灯、（ｂ）は赤色灯と左端灯との図形発光を示す図である。
【図５】請求項２の図形を連動して発光させるブロック図である。
【図６】請求項１の３イン１チップＬＥＤと調光部の一例を示すブロック図である。
【図７】従来の信号機の設置図である。
【符号の説明】
【００２４】    １０    分割型信号機１１ 縦型信号機１２    表示板    ２０    青色灯２１    中央表示灯    ２２    赤色灯２３ 左端灯３０    ３イン１チップＬＥＤ３１    青色ＬＥＤ３２    黄色ＬＥＤ３３    赤色ＬＥＤ３４    調光部３５    ２イン１チップＬＥＤ４０    一体型信号機４１    アーム５０    信号制御盤５１    制御部    ６１    黄色灯
【図１】
0003954035.tif 000002
【図２】
0003954035.tif 000003
【図３】
0003954035.tif 000004
【図４】
0003954035.tif 000005
【図５】
0003954035.tif 000006
【図６】
0003954035.tif 000007
【図７】
0003954035.tif 000008